(57)【要約】【課題】画質を向上には消費電力の増加が伴っている。また、消費電力の抑制は、許容範囲の最大値を超える場合に限り実行され、任意性がない。【解決手段】アクティブマトリクス駆動型の自発光表示モジュールにおけるピーク輝度レベルを制御するピーク輝度レベル制御装置として、（ａ）自発光表示モジュールに供給される表示データの平均階調値を算出する平均階調値算出部と、（ｂ）ピーク輝度レベルの突き上げ駆動実行時、前記平均階調値に応じたピーク輝度レベルが得られるように自発光表示モジュールの駆動条件を制御する駆動条件制御部と、（ｃ）ピーク輝度レベルの突き上げ駆動実行時、ピーク輝度レベルを標準値で駆動する場合に比して消費電力が増加しないように表示データをガンマ変換するガンマ変換部とを有するものを提案する。【選択図】図１
2008158401.tif 000002
【特許請求の範囲】
【請求項１】
アクティブマトリクス駆動型の自発光表示モジュールにおけるピーク輝度レベルを制御するピーク輝度レベル制御装置において、
自発光表示モジュールに供給される表示データの平均階調値を算出する平均階調値算出部と、
ピーク輝度レベルの突き上げ駆動実行時に、前記平均階調値に応じたピーク輝度レベルが得られるように自発光表示モジュールの駆動条件を制御する駆動条件制御部と、
ピーク輝度レベルの突き上げ駆動実行時に、ピーク輝度レベルを標準値で駆動する場合に比して消費電力が増加しないように表示データをガンマ変換するガンマ変換部と
を有することを特徴とするピーク輝度レベル制御装置。
【請求項２】
請求項１に記載のピーク輝度レベル制御装置において、
前記平均階調値算出部は、任意の１フレームについて平均階調値を算出する
ことを特徴とするピーク輝度レベル制御装置。
【請求項３】
請求項１に記載のピーク輝度レベル制御装置において、
前記平均階調値算出部は、一定期間に入力された表示データについて平均階調値を算出する
ことを特徴とするピーク輝度レベル制御装置。
【請求項４】
請求項１に記載のピーク輝度レベル制御装置において、
前記平均階調値算出部は、フレーム毎に平均階調値を算出する
ことを特徴とするピーク輝度レベル制御装置。
【請求項５】
請求項１に記載のピーク輝度レベル制御装置において、
前記ガンマ変換部は、
自発光表示モジュールについて想定される表示データの平均階調値に基づいてガンマ変換処理を実行する
ことを特徴とするピーク輝度レベル制御装置。
【請求項６】
請求項１に記載のピーク輝度レベル制御装置において、
前記ガンマ変換部は、
前記平均階調値に対応するピーク輝度レベルの突き上げ駆動時による消費電力が標準値による駆動時よりも減少する場合、表示データに対するガンマ変換を停止し、
前記平均階調値に対応するピーク輝度レベルの突き上げ駆動時による消費電力が標準値による駆動時よりも増加する場合、消費電力の増加分を削減するように表示データをガンマ変換する
ことを特徴とするピーク輝度レベル制御装置。
【請求項７】
アクティブマトリクス駆動型の画素構造を有する自発光表示モジュールと、
自発光表示モジュールに供給される表示データの平均階調値を算出する平均階調値算出部と、
ピーク輝度レベルの突き上げ駆動実行時に、前記平均階調値に応じたピーク輝度レベルが得られるように自発光表示モジュールの駆動条件を制御する駆動条件制御部と、
ピーク輝度レベルの突き上げ駆動実行時に、ピーク輝度レベルを標準値で駆動する場合に比して消費電力が増加しないように表示データをガンマ変換するガンマ変換部と
を有することを特徴とする自発光表示装置。
【請求項８】
請求項７に記載の自発光表示装置において、
各画素がエレクトロルミネセンス素子で構成される
ことを特徴とする自発光表示装置。
【請求項９】
アクティブマトリクス駆動型の画素構造を有する自発光表示モジュールと、
ピーク輝度レベルの突き上げ駆動実行時に、前記平均階調値に応じたピーク輝度レベルが得られるように自発光表示モジュールの駆動条件を制御する駆動条件制御部と、
ピーク輝度レベルの突き上げ駆動実行時に、ピーク輝度レベルを標準値で駆動する場合に比して消費電力が増加しないように表示データをガンマ変換するガンマ変換部と、
システム制御部と
を有することを特徴とする電子機器。
【請求項１０】
アクティブマトリクス駆動型の自発光表示モジュールにおけるピーク輝度レベルを制御するピーク輝度レベル制御方法において、
自発光表示モジュールに供給される表示データの平均階調値を算出する処理と、
ピーク輝度レベルの突き上げ駆動実行時に、前記平均階調値に応じたピーク輝度レベルが得られるように自発光表示モジュールの駆動条件を制御する処理と、
ピーク輝度レベルの突き上げ駆動実行時に、ピーク輝度レベルを標準値で駆動する場合に比して消費電力が増加しないように表示データをガンマ変換する処理と
を有することを特徴とする駆動条件制御方法。
【請求項１１】
アクティブマトリクス駆動型の自発光表示モジュールにおけるピーク輝度レベルを制御するコンピュータに、
自発光表示モジュールに供給される表示データの平均階調値を算出する処理と、
ピーク輝度レベルの突き上げ駆動実行時に、前記平均階調値に応じたピーク輝度レベルが得られるように自発光表示モジュールの駆動条件を制御する処理と、
ピーク輝度レベルの突き上げ駆動実行時に、ピーク輝度レベルを標準値で駆動する場合に比して消費電力が増加しないように表示データをガンマ変換する処理と
を実行させることを特徴とするコンピュータプログラム。
【発明の詳細な説明】
【技術分野】
【０００１】
この明細書で説明する発明は、アクティブマトリクス駆動型の自発光表示モジュールの消費電力を増加させることなく見栄えを改善する技術に関する。
なお、ここでの発明は、ピーク輝度レベル制御装置、自発光表示装置、電子機器、ピーク輝度レベル制御方法及びコンピュータプログラムとしての側面を有する。
【背景技術】
【０００２】
現在、多くの電子機器に液晶ディスプレイが多く採用されている。しかし、液晶ディスプレイは、視野角が狭く、応答速度も遅いという問題がある。
このため、これらの技術課題のない有機ＥＬディスプレイ装置が次世代の表示装置として注目されている。
【０００３】
ただし、有機ＥＬディスプレイ装置その他の自発光装置には、消費電力や負荷変動の抑制技術の確立という別の技術課題が存在する。これら技術の確立は、電源システムの規模削減にも効果的であり、従来より様々な技術の開発が進められている。
【０００４】
一方で、今日における表示装置には、画像や映像を明るく、綺麗に、視認性の良い状態で表示することが求められている。これらの表示形態は、前述した消費電力の低減化は相容れない表示形態であり、一般に消費電力の増加を伴うことが多い。このため、少ない消費電力で視認性の良い画像（高画質画像）を同時に実現することは今まで困難であるとされていた。
【発明の開示】
【発明が解決しようとする課題】
【０００５】
以下に、現在提案されている低消費電力化技術と高画質化技術を示す。
【特許文献１】特開２００３−１３４４１８号公報  この特許文献には、表示データのディジタル処理により、観察者に視覚的な違和感や妨害観を与えないＡＢＬ（Auto Brightness Level）機能が開示されている。
【０００６】
この特許文献に記載の技術の場合、違和感無く平均表示輝度を制限することができ、消費電力を低下させることができる。しかしながら、消費電力の制限値を自在に設定することができず、制限消費電力を細かく管理することが出来ない。
【０００７】
【特許文献２】特開２００５−２７５０４７号公報  この特許文献には、表示データのディジタル処理により表示パネルの消費電力を予測し、制限消費電力量を越えないように発光状態を選択制御する技術が開示されている。
【０００８】
この特許文献に記載の技術の場合、違和感を抑えながら発光状態を変化させ、制限消費電力を越えないように輝度を制御することはできる。しかし、この場合も、消費電力の制限値は最大値を見据えた一定値（固定値）である。このため、特許文献１の場合と同様の課題が存在する。
【０００９】
実際、これら２つの特許文献に代表され技術は、総じて機器の最大消費電力を満たすように消費電力を制限するものばかりである。従って、制限値以下であれば、消費電力の抑制制御は実行されることはなく、発光面積や輝度の違いを管理することは出来ない。
【００１０】
このため、平均階調レベル（ＡＰＬ：Average Picture Level ）が低めの映像を表示し続ける場合、ピーク輝度レベルの突き上げ駆動により見映えを良くすることができたとしても、ピーク輝度レベルの突き上げ駆動を行わない場合に比して消費電力が増加する問題があった。
【００１１】
【特許文献３】特開２００５−４９７５１号公報  この特許文献には、入力映像信号の平均輝度レベルを下げる機能と、平均輝度レベルに応じてピーク輝度レベルを増減させる機能とを組合せて消費電力の低減効果をある程度に保ったまま輝度のダイナミックレンジを実質的に拡張し、コントラスト感の低下を防ぐ技術が開示されている。
【００１２】
しかし、この特許文献に記載の技術では、これらの技術を適用しない場合の消費電力よりも消費電力を低下させたり、任意の消費電力を設定できない問題がある。
【課題を解決するための手段】
【００１３】
そこで、発明者らは、アクティブマトリクス駆動型の自発光表示モジュールにおけるピーク輝度レベルの制御装置として、（ａ）自発光表示モジュールに供給される表示データの平均階調値を算出する平均階調値算出部と、（ｂ）ピーク輝度レベルの突き上げ駆動実行時に、算出された平均階調値に応じたピーク輝度レベルが得られるように自発光表示モジュールの駆動条件を制御する駆動条件制御部と、（ｃ）ピーク輝度レベルの突き上げ駆動実行時に、ピーク輝度レベルを標準値で駆動する場合に比して消費電力が増加しないように表示データをガンマ変換するガンマ変換部とを有するものを提案する。
【００１４】
ここで、「ピーク輝度レベルの突き上げ駆動」とは、少なくとも一部の階調域において標準値より高いピーク輝度レベルにより画像が表示される状態をいう。なお、「ピーク輝度レベルの突き上げ駆動」には、全階調域についてピーク輝度レベルが標準値よりも高い場合が含まれる他、標準値より高いピーク輝度レベルが設定される階調域と標準値より低いピーク輝度レベルが設定される階調域が混在する場合も。
【発明の効果】
【００１５】
発明者らの提案する発明の場合、どのような表示データが入力される場合にも、低消費電力化と高画質化を両立させることができる。
【発明を実施するための最良の形態】
【００１６】
以下、発明をアクティブマトリクス駆動型の有機ＥＬディスプレイ装置（自発光表示装置）に適用する場合について説明する。
なお、本明細書で特に図示又は記載されない部分には、当該技術分野の周知又は公知技術を適用する。
また以下に説明する形態例は、発明の一つの形態例であって、これらに限定されるものではない。
【００１７】
（Ａ）形態例１
（Ａ−１）有機ＥＬディスプレイ装置の機能構成
図１に、有機ＥＬディスプレイ装置１の機能構成を示す。有機ＥＬディスプレイ装置１は、有機ＥＬパネルモジュール３及びピーク輝度レベル制御部５で構成される。
【００１８】
有機ＥＬパネルモジュール３は、画素をパネル解像度に応じてマトリクス状に配置した有機ＥＬパネル１１とドライバＩＣブロック１３で構成される。
このうち、有機ＥＬパネル１１はカラー表示用であり、画素は発光色別に配置される。
【００１９】
ただし、画素が複数色の発光層を積層した構造の有機ＥＬ素子の場合、１つの画素が複数の発光色に対応する。
【００２０】
図２に、有機ＥＬパネル１１を構成する画素構造を示す。画素１５は、スイッチ素子Ｔ１、キャパシタＣ、電流ドライブ素子Ｔ２、デューティ制御素子Ｔ３及び有機ＥＬ素子Ｄで構成される。
【００２１】
スイッチ素子Ｔ１は、データ線ＤＬに印加された信号電圧ＶinのキャパシタＣへの書き込みを制御するトランジスタである。書き込み許可信号は、走査線ドライバ（ドライバＩＣブロック１３）から走査線ＷＬを通じて供給される。
【００２２】
キャパシタＣは、各画素に対応する信号電圧Ｖinを１フレームの間保持する記憶素子である。キャパシタＣを用いることで、信号電圧Ｖinの書き込みが線順次に実行される場合でも、面順次走査方式で書き込まれる場合と同様の発光態様が実現される。
【００２３】
電流ドライブ素子Ｔ２は、キャパシタＣに保持されている信号電圧Ｖinに応じた駆動電流を有機ＥＬ素子Ｄに供給するトランジスタである。ここでの駆動電流値は、電流ドライブ素子Ｔ２のゲートソース間に印加される電圧Ｖgsにより定まる。
【００２４】
デューティ制御素子Ｔ３は、有機ＥＬ素子Ｄの１フレーム内の点灯時間割合（デューティ）を制御するトランジスタである。デューティ制御素子Ｔ３は、有機ＥＬ素子Ｄに対して直列に接続されており、オンオフ制御により有機ＥＬ素子Ｄに対する駆動電流の供給と停止を制御する。
【００２５】
なお、デューティ制御素子Ｔ３の制御信号は、デューティ線制御ドライバ（ドライバＩＣブロック１３）からデューティ制御線ＤＴＬを通じて供給される。
図３に、デューティ制御信号の信号波形と有機ＥＬ素子Ｄの点灯・非点灯状態との関係を示す。
【００２６】
図３（Ａ）は、１フレーム期間を与える垂直同期信号である。図３（Ｂ）は、点灯時間が短い場合のデューティ制御信号の波形である。図３（Ｃ）は、点灯時間長が長い場合のデューティ制御信号の波形である。
【００２７】
この形態例の場合、デューティ制御素子Ｔ３がＰチャネル型のＦＥＴであるので、デューティ制御信号のＬレベル期間が点灯時間を表し、Ｈレベル期間が消灯時間を表している。
【００２８】
なお、有機ＥＬパネル１１の画面輝度は点灯時間長に比例する。従って、点灯時間長の可変制御は、表示画面の物理的なピーク輝度を可変制御するのと同じである。
図４に、ドライバＩＣブロック１３の機能構成を示す。
【００２９】
ドライバＩＣブロック１３は、タイミングジェネレータ３１と、データ線ドライバ３３と、走査線ドライバ３５と、デューティ線制御ドライバ３７により構成される。
このうち、タイミングジェネレータ３１は、ドライバ駆動用のタイミングパルスを発生する回路である。
【００３０】
データ線ドライバ３３は、水平同期信号に同期したタイミングで書き込み対象である走査線上の各画素の映像信号Ｖinをデータ線ＤＬに印加する処理を実行する。走査線ドライバ３５は、水平同期信号に同期したタイミングで１ラインずつ走査線に書き込み許可信号を印加する処理を実行する。
【００３１】
デューティ線制御ドライバ３７は、ピーク輝度レベル制御部５から与えられるデューティ制御信号Ｓd を有機ＥＬパネル１１の駆動に適した電圧レベルに昇圧してデューティ制御信号線ＤＴＬに印加する処理を実行する。
【００３２】
ピーク輝度レベル制御部５は、低消費電力化と高画質化とが両立するように有機ＥＬパネルモジュール３の駆動条件を制御する処理デバイスである。
この形態例の場合、ピーク輝度レベル制御部５は、ピーク輝度突き上げ設定部２１、ＡＰＬ算出部２３、ピーク輝度制御部２５及びガンマ特性変換部２７で構成する。
【００３３】
ピーク輝度突き上げ設定部２１は、ピーク輝度レベル突き上げ駆動の実行又は不実行の設定を行う処理デバイスである。なお、設定処理は、外部（アプリケーション）より与えられる設定制御信号を通じて実行される。設定結果は、ピーク輝度突き上げ設定部２１からピーク輝度制御部２５とガンマ特性変換部２７とに供給される。
【００３４】
ＡＰＬ算出部２３は、入力表示データをディジタル処理し、１フレームごとの平均階調値を算出する処理デバイスである。算出された平均階調値は、ピーク輝度制御部２５に出力される。
【００３５】
ピーク輝度制御部２５は、ピーク輝度突き上げ駆動の設定状態に基づいて、適切な点灯時間長のデューティ制御信号Ｓd を生成する処理デバイスである。例えばピーク輝度突き上げ駆動の不実行が設定されている場合、ピーク輝度制御部２５は、点灯時間長が標準値（固定長）のデューティ制御信号Ｓd を生成する。
【００３６】
一方、ピーク輝度突き上げ駆動の実行が設定されている場合、ピーク輝度制御部２５は、フレーム単位に算出される表示データの平均階調値に応じた点灯時間長のデューティ制御信号Ｓd を生成する。
【００３７】
各平均階調値に対応する点灯時間長は、メモリ等に事前に設定されているものとする。因みに、有機ＥＬパネル１１の輝度は、点灯時間長に対して線形に変化する。従って、点灯時間長の変化率は、そのままピーク輝度レベルの突上げ率となる。
【００３８】
ガンマ特性変換部２７は、ピーク輝度レベルの突き上げ駆動が実行状態に応じ、事前に設定されたガンマ特性に基づくガンマ変換処理を入力表示データに対して実行する処理デバイスである。
【００３９】
例えば、ピーク輝度レベルの突き上げ駆動の不実行が設定されている場合、ガンマ特性変換部２７は、入力表示データを入力時のまま有機ＥＬパネルモジュール３に出力する。この場合のガンマ変換値は「１」である。
【００４０】
一方、ピーク輝度突き上げ駆動の実行が設定されている場合、ガンマ特性変換部２７は、ピーク輝度レベルの突き上げ駆動による消費電力の増加量以上に消費電力の削減効果が得られるように、入力表示データのガンマ変換処理を実行する。
【００４１】
この形態例の場合、ガンマ変換値は１以上の固定値に設定されている。ここでのガンマ変換値は、ピーク輝度レベルの平均的な突き上げ率の想定値に基づいて事前に設定される。一般に、想定される消費電力の増加量が大きいほど、ガンマ変換値は大きな値に設定される。なお、具体的な設定方法については後述する。
【００４２】
（Ａ−２）ガンマ変換値の決定方法
前述したように、この形態例におけるピーク輝度レベル制御部５は、ピーク輝度レベルの突き上げ駆動に伴う消費電力の増加量以上に消費電力の削減効果を発揮するように入力表示データをガンマ変換することを特徴とする。
以下、ガンマ変換値の決定方法について説明する。
【００４３】
（ａ）ピーク輝度レベルの突き上げ率と消費電力との関係
図５に、ピーク輝度レベルを突き上げ駆動しない場合における平均階調値と消費電力の関係を示す。一方、図６に、ピーク輝度レベルを突き上げ駆動する場合における平均階調値と消費電力の関係を示す。
【００４４】
図５及び図６のいずれの場合も、左縦軸側の目盛りがピーク輝度レベルを示す。また、右縦軸側の目盛りが電力割合を示す。電力割合は、平均階調値が１００％輝度（すなわち、全ての画素が１００％輝度）の場合に消費される電力を「１」とした値である。
【００４５】
ピーク輝度レベルを突き上げ駆動しない場合（図５）、ピーク輝度レベルは全ての平均階調値について300〔cd/m2〕である。一方、ピーク輝度レベルを突き上げ駆動する場合（図６）、入力表示データの平均階調値が小さいほどピーク輝度レベルは高い値に設定され、入力表示データの平均階調値が大きいほどピーク輝度レベルは小さい値に設定される。
【００４６】
例えば表示画像が白ベタに近い場合、ピーク輝度は200〔cd/m2〕近くまで低下される。この際の電力割合は約0.66である。
一方、表示画像が黒ベタに近い場合、ピーク輝度は600〔cd/m2〕近くまで増加される。
【００４７】
なお、図６に示すピーク輝度レベルの突き上げ駆動特性では、平均階調値の低域側から高域側までピーク輝度レベルが直線的に変化している。しかし、ピーク輝度レベルの変化は、必ずしも直線に限るものではない。
【００４８】
平均階調値が高域に近づくほどピーク輝度レベルが連続的に低下する特性を有していれば、ピーク輝度レベルの変化は曲線でも構わない。
【００４９】
さて、図６に示すピーク輝度レベルの突き上げ駆動特性は、一般に採用されている特性であるが、このようなピーク輝度の突き上げは、表示画面の見栄えを良くする一方で消費電力を増加させることが多い。この特性を、図７を用いて説明する。
【００５０】
図７は、ピーク輝度レベルの突き上げ駆動の実行時と不実行時の消費電力の大小関係を示すために、図５と図６を重ね合わせた図である。
一般に、有機ＥＬパネル１１の平均的な輝度レベルは30％であることが知られている。一般的なテレビジョン放送番組が表示される場合、平均的な輝度レベルは30％程度と考えられているし、世の中に存在する表示内容のほとんどは30％程度と考えられる。
【００５１】
また、有機ＥＬパネル１１のガンマ特性を 2.2乗（ほぼ一般的な値）と考えると、平均階調値が約58％のところが一般的な表示コンテンツの平均レベルと考えられる。
図７では、平均階調値が約58％の付近を破線で囲んで表している。
【００５２】
従って、一般的な使用態様では、平均階調値が約58％の表示が継続する場合に消費される電力が、平均的な消費電力と想定される。
この時の消費電力を、ピーク輝度レベルの突き上げ駆動がある場合とない場合とで比較すると、ガンマ変換により実現すべき削減量が分かる。
【００５３】
通常、有機ＥＬパネル１１の輝度と電流との間には比例関係がある。このため、突き上げ駆動による輝度の上昇分だけ消費電力が上昇すると考えられる。
例えば、図７の場合、平均階調値の58％に対応するピーク輝度レベルは300〔cd/m2〕から368〔cd/m2〕に突き上げられる。
【００５４】
この突き上げ率は約23％である。従って、ピーク輝度レベルの突き上げ駆動による増加する消費電力は約23％であることが分かる。
なお当然ながら、突き上げ駆動時におけるピーク輝度レベルの変化が小さいものを用いれば、消費電力の上昇分も小さくなる。
【００５５】
（ｂ）消費電力の増加分を打ち消すのに必要なガンマ変換値の条件
図８に、ピーク輝度レベルの突き上げ駆動により増加した消費電力分を削減するのに必要なガンマ特性の設定例を示す。ガンマ特性は、入力表示データの中間階調域の輝度のみを下げる（ガンマ特性カーブを深くする）効果を有している。
【００５６】
前述したように、有機ＥＬパネル１１の階調値に対する輝度特性（ガンマ特性）を与えるガンマ係数は一般に 2.2乗である。この場合、ガンマ係数を 2.2乗よりも深く設定することができれば、入力表示データの中間階調域の輝度を下げることができる。すなわち、消費電力を下げることができる。
【００５７】
従って、ガンマ係数をいくつに設定すれば、ピーク輝度レベルの突き上げによる消費電力の増加を打ち消すことができるかを考える。
ここで、発明者らは、有機ＥＬパネル１１の平均的な輝度レベル（平均階値）に注目する。実際の表示内容は様々であっても、平均的な輝度レベルは、有機ＥＬパネル１１の平均的な輝度レベル（平均階調値）と同じになると考えられるためである。
【００５８】
この形態例の場合であれば、平均階調値58％のポイントにおいて、 2.2乗のガンマ係数に対応する輝度を23％ダウンできるガンマ係数が最低限必要な条件である。この形態例の場合、ガンマ係数は、2.67乗以上であることが求められる。
【００５９】
（ｃ）ガンマ変換値の設定及びガンマ変換処理
図９に、ガンマ特性変換部２７で実行するガンマ変換処理の内容を示す。すなわち、階調値に対する輝度特性（ガンマ特性）を元々の 2.2乗から2.67乗に変換するために使用する表示データのガンマ変換手法を示す。
【００６０】
前述したように有機ＥＬパネル１１は本来、表示階調値に対して 2.2乗のガンマ特性を持っている。従って、ガンマ特性変換部２７のガンマ変換は、この 2.2乗のガンマ特性と合わせて2.67乗のガンマ特性を実現することになる。
【００６１】
例えばピーク輝度レベルの突き上げ駆動を実行しない場合、ガンマ特性変換部２７は、ガンマ変換値に１乗（入力階調値と出力階調値は同一）を使用する。
これに対し、ピーク輝度レベルの突き上げ駆動を実行する場合、ガンマ特性変換部２７は、ガンマ変換値に1.21乗を使用する。ここでのガンマ変換値1.21は、2.67/2.2に基づいて算出される。
【００６２】
勿論、有機ＥＬパネル１１のガンマ変換値を1.21より大きくすれば（平均的な消費電力に対する低下量を大きくすれば）、ピーク輝度レベルの突き上げ駆動を行わない場合よりも消費電力を小さくすることができる。
【００６３】
図１０に、以上説明したガンマ変換値の設定までの流れを模式的に示す。なお、図１０では、有機ＥＬパネル１１について想定される平均輝度レベル（平均階調値）をＡＰＬａ、ピーク輝度レベルの突き上げ駆動時の消費電力の上昇比率をＰｕとする。ＡＰＬａもＰｕも正規化した値（１に対する比率）とする。
【００６４】
また、有機ＥＬパネル１１の元々のガンマ係数をγｐ［乗］、ピーク輝度レベルの突き上げ駆動による消費電力の増加分以上に消費電力を下げるのに必要なガンマ係数をγａ［乗］とする。また、γａを実現するのに必要なガンマ変換値をγｃｈｇ［乗］とする。
【００６５】
まず、ＡＰＬａについて突き上げ駆動後のピーク輝度レベルが標準輝度（突き上げ駆動を行わない場合の輝度）に対して上昇した比率を求める。上昇比率を抽出する。この形態例の場合、突き上げ輝度の上昇比率は、消費電力の上昇比率Ｐｕと同じ値である。
【００６６】
ここで、上昇比率Ｐｕの抽出には、有機ＥＬパネル１１についての予測値であるＡＰＬａの情報が使用される。
次に、ＡＰＬａ時のγｐに対し、電力（すなわち、輝度）をＰｕ分だけ下げるためのガンマ特性γａが求められる。
【００６７】
このときの算出式は比率ですべて計算され、次式の関係式で導き出される。
ＡＰＬａγａ＝ＡＰＬａγｐ×（２−Ｐｕ）
最後に算出されたγａを実現するための表示データ信号のガンマ変換値（すなわち、γｃｈｇ）を算出する。
【００６８】
算出式は次式で与えられる。
γｃｈｇ＝γａ／γｐ
前述した具体例では、この算出式にγａ＝2.67、γｐ＝ 2.2を代入し、ガンマ変換値1.21乗を求めている。
【００６９】
ガンマ特性変換部２７には、このように設定されたガンマ変換値1.21に対応する入出力特性（ガンマ特性）に基づいて入力表示データをガンマ変換し、変換後の表示データを有機ＥＬパネルモジュール３に出力する。
【００７０】
（Ａ−３）形態例の効果
以上説明したように、この形態例に係る有機ＥＬディスプレイ装置では、ピーク輝度レベルの突き上げ駆動とガンマ特性変換部２７（ガンマ変換値1.21）によるガンマ変換処理とを組み合わせることにより、高画質化を実現しつつも、消費電力の増加を確実に抑制することができる。
【００７１】
すなわち、消費電力上昇を抑えたピーク輝度レベルの突き上げ駆動を実現できる。換言すると、消費電力の抑制と見栄えの向上とを両立できるピーク輝度レベルの制御技術を実現できる。
また、この形態例で開示する技術では、ガンマ変換値は、１以上の任意の値に設定できる。
【００７２】
従って、単にピーク輝度レベルの突き上げ駆動による消費電力の増加量を打ち消す分だけでなく、ピーク輝度レベルの突き上げ駆動時に増加する消費電力分以上に消費電力を削減できる。すなわち、ピーク輝度レベルを実行しない場合以上に消費電力を低下させることができる。
【００７３】
なお、この形態例の場合には、有機ＥＬパネル１１の平均的な使用態様を想定して（入力表示データの平均階調値を想定して）設定したガンマ変換値を全ての入力表示データに適用するため、１フレーム単位でガンマ変換値を求める処理が不要である。従って、信号処理やシステムの構成を簡単なものにできる。
【００７４】
また、ガンマ特性が固定されるため、明暗変化が早く大きい入力表示データが入力される場合にも、ガンマ変換値が固定であるので安定した画質が期待できる。
以上のように良好な画質を確保した状態で低消費電力化を実現できるため、バッテリー動作機器であれば動作時間を一段と長くできる。また、商用電源（ＡＣコンセント）から電源の供給を受ける機器であれば、電気代の節約が期待できる。
【００７５】
（Ｂ）他の形態例
（Ｂ−１）ガンマ変換値の切り替え処理１
前述の形態例においては、有機ＥＬパネル１１の平均的な使用態様を想定して（入力表示データの長期的な平均階調値を想定して）設定したガンマ変換値を全ての入力表示データに適用する場合について説明した。
【００７６】
しかし、ピーク輝度レベルの突き上げ駆動の実行によって消費電力が増加する階調範囲に限ってガンマ変換処理を実行し、ピーク輝度レベルの突き上げ駆動によって消費電力が低減する階調範囲ではガンマ変換処理を停止する手法を採用しても良い。
【００７７】
図１１に、ガンマ変換値の２値的な切り替え機能を実現する変更点の設定例を示す。図１１の場合、ピーク輝度レベルの突き上げ駆動を実行する場合の輝度値とピーク輝度レベルの突き上げ駆動を実行しない場合の輝度値が丁度交差する平均階調値が変更点に設定されている。図１１では、この領域の境界を点線で示す。
【００７８】
図１１に示すように、変更点より平均階調値が大きい領域では、ピーク輝度レベルの突き上げ駆動によって消費電力が少なくなるのに対し、変更点より平均階調値が小さい領域では、ピーク輝度レベルの突き上げ駆動によって消費電力が大きくなっていることが分かる。
【００７９】
すなわち、変更点より平均階調値が大きい領域では、黒塗りの三角マークを結ぶ実線が黒塗りの三角マークを結ぶ点線よりも下に位置するのに対し、変更点より平均階調値が小さい領域では、黒塗りの三角マークを結ぶ実線が黒塗りの三角マークを結ぶ点線よりも上に位置することが分かる。
【００８０】
従って、変更点より低い平均階調値の入力表示データが入力されている場合には、前述の説明のように決定されたガンマ変換値（＞１）で消費電力の上昇を抑制した突き上げ駆動を選択する。
【００８１】
一方、変更点より高い平均階調値の入力表示データが入力されている場合には、ガンマ変換値が「１」のガンマ変換処理を選択し、ピーク輝度レベルの抑制による消費電力の低減効果を積極的に利用する。
【００８２】
結果的に、有機ＥＬパネル１１に入力される平均的な表示内容に対し、消費電力の確実な削減とピーク輝度レベルの突き上げ駆動による画質の向上とを同時に実現することができる。
【００８３】
図１２に、平均階調範囲別にガンマ変換値を切り替えることができるガンマ特性変換部を搭載する有機ＥＬディスプレイ装置４１の構成例を示す。
なお、図１２には図１との対応部分に同一符号を付して示す。
【００８４】
図１２と図１との相違点は、ピーク輝度レベル制御部５１を構成するガンマ特性変換部５３にガンマ変換値の切り替え機能が搭載される点と、ガンマ変換値の切り替え処理を実現するために、平均階調値算出部２３で算出された平均階調値が１フレーム毎に与えられる点である。
【００８５】
図１３に、ガンマ特性変換部５３が実行する制御フローを示す。まず、ガンマ特性変換部５３は、突き上げ駆動の実行が設定されているか否かを判定する（Ｓ１）。
肯定結果が得られた場合、ガンマ特性変換部５３は、各フレームの入力表示データについて算出された平均階調値が変更点を与える階調値ＡＰＬｎ以下か否かを判定する（Ｓ２）。
【００８６】
この判定でも肯定結果が得られた場合、ガンマ特性変換部５３は、事前に設定されたガンマ変換値γｃｈｇ（＞１）を選択し、当該ガンマ変換値γｃｈｇに基づくガンマ変換処理を実行する（Ｓ３）。
【００８７】
一方、判定処理Ｓ１又はＳ２で否定結果が得られた場合、ガンマ特性変換部５３は、ガンマ変換値に「１」を選択し、入力された階調値をそのまま有機ＥＬパネルモジュール３に出力する（Ｓ４）。
【００８８】
以上の通り、この処理方法を採用すれば、平均階調値が低くピーク輝度レベルの突き上げ駆動によって消費電力が増加する場合に限り、中間階調域の表示輝度を低下させるガンマ変換処理を適用することができる。
結果的に、ピーク輝度レベルの突き上げ時の消費電力を、不実行時の消費電力に比して確実に低減することができる。
【００８９】
（Ｂ−２）ガンマ変換値の切り替え処理２
前述の「切り替え処理１」においては、変更点を境にガンマ変換値を２値的に切り替える場合について説明した。
【００９０】
しかし、動画像を表示する場合等、入力表示データの平均階調値が変更点を滑らかに通過する場合には、ガンマ特性の２値的な変化が画質の低下として認識される可能性がある。
【００９１】
そこで、ピーク輝度レベルの突き上げ駆動の実行時に、全ての平均階調域でガンマ変換値に「１」を使用しない方法を提案する。換言すると、ガンマ変換値を２値間で徐々に変化させる方法を提案する。
【００９２】
ピーク輝度レベルの突き上げ駆動による輝度の上昇率がそれほど大きくない場合には、ガンマ特性の変化量も小さい。従って、変更点の付近における画質低下を認識させないための有効な手法と考えられる。
【００９３】
図１４に、この種の処理機能に対応するガンマ特性変換部５３の制御フロー例を示す。なお、有機ＥＬディスプレイ装置のシステム構成は図１２と同じである。
【００９４】
まず、ガンマ特性変換部５３は、突き上げ駆動の実行が設定されているか否かを判定する（Ｓ１１）。
肯定結果が得られた場合、ガンマ特性変換部５３は、各フレームの表示データ信号について算出された平均階調値が変更点を与える階調値ＡＰＬｎ以下か否かを判定する（Ｓ１２）。
【００９５】
この判定でも肯定結果が得られた場合、ガンマ特性変換部５３は、ガンマ変換値に事前に設定された値γｃｈｇを選択し、当該値に基づくガンマ変換処理を実行する（Ｓ１３）。
なお、判定処理Ｓ１１で否定結果が得られた場合、ガンマ特性変換部５３は、ガンマ変換値に「１」を選択し、入力された階調値をそのまま出力する（Ｓ１４）。
【００９６】
また、判定処理Ｓ１２で否定結果が得られた場合、ガンマ特性変換部５３は、数フレームを掛けてガンマ変換値が「１」に変化するようにガンマ変換値を決定し、決定されたガンマ変換値に基づくガンマ変換処理を実行する（Ｓ１５）。
【００９７】
この他、図１５に示すような処理方法を採用することもできる。この場合も、有機ＥＬディスプレイ装置のシステム構成は図１２と同じものを想定する。
【００９８】
まず、ガンマ特性変換部５３は、突き上げ駆動の実行が設定されているか否かを判定する（Ｓ２１）。
肯定結果が得られた場合、ガンマ特性変換部５３は、各フレームの表示データ信号について算出された平均階調値が変更点を与える階調値ＡＰＬｎ以下か否かを判定する（Ｓ２２）。
【００９９】
ただし、ここでの判定処理は、ヒステリシス機能その他のフィルタ処理付の判定を使用する。すなわち、変更点を与える階調値ＡＰＬｎに対する判定結果が切り替わる場合には、事前に定めたヒステリシス条件を満たす場合にのみ最終的な判定結果の切り替えを実行する。
【０１００】
この判定でも肯定結果が得られた場合、ガンマ特性変換部５３は、ガンマ変換値に事前に設定された値γｃｈｇを選択し、当該値に基づくガンマ変換処理を実行する（Ｓ２３）。一方、判定処理Ｓ２１又はＳ２２で否定結果が得られた場合、ガンマ特性変換部５３は、ガンマ変換値に１を選択し、入力された階調値をそのまま出力する（Ｓ２４）。
【０１０１】
以上の通り、この処理方法を採用すれば、入力表示データの平均階調値が変更点の前後で推移する場合に、ガンマ変換値が頻繁に切り替わる事態を低減することができる。
結果的に、ピーク輝度レベルの突き上げ時の消費電力を不実行時の消費電力に比して低減するという効果を維持しつつ、ガンマ特性の変更に伴う画質の低下を防止できる。
【０１０２】
（Ｂ−３）ガンマ変換値の設定
前述した形態例の場合には、ピーク輝度レベルの突き上げ駆動時に用いるガンマ変換値γｃｈｇを、有機ＥＬパネル１１の平均的な使用態様を想定して（入力表示データの平均階調値を想定して）設定する場合について説明した。
【０１０３】
すなわち、固定のガンマ特性を適用する場合について説明した。
しかし、ガンマ特性（ガンマ変換値）は、１フレーム毎に算出される入力表示データの平均階調値に連動して１フレーム単位で設定しても良い。
【０１０４】
例えば、ピーク輝度レベルの突き上げ駆動による消費電力の増加量が大きい場合にはガンマ変換値を大きな値に設定し、ピーク輝度レベルの突き上げ駆動による消費電力の増加量が小さい場合にはガンマ変換値を１に近い値（＞１）に設定しても良い。
ただし、この場合には、各平均階調値に最適なガンマ特性を読み出してガンマ変換処理を実行する等の処理が１フレーム単位で必要になる。
【０１０５】
（Ｂ−４）平均階調値の他の算出方法
前述の形態例の場合、入力表示データの平均階調値はフレーム単位で算出する場合について説明した。
しかし、平均階調値は、任意の１フレームについて定期的に又は不定期に算出しても良い。
【０１０６】
また、平均階調値は、一定期間（例えば数フレーム期間）内に入力された入力表示データの平均値として算出しても良い。
これらの算出方法を採用する場合、システムに要求される処理負荷を小さくできる。
【０１０７】
（Ｂ−５）他のピーク輝度レベル制御方法
前述した形態例においては、１フレーム期間内の点灯時間割合を制御するデューティ制御信号によりピーク輝度レベルを可変制御する場合について説明した。
しかし、有機ＥＬパネルのピーク輝度レベルは他の方法によっても制御できる。
【０１０８】
例えば１フレーム期間内の点灯時間は固定とし、データ線ＤＬに印加する電圧値のダイナミックレンジを可変制御することによりピーク輝度レベルを制御する手法を採用しても良い。
【０１０９】
なお、輝度変化特性はガンマ基準電圧に対して、有機ＥＬパネル１１のガンマ特性に沿って変化する。従って、この場合、ピーク輝度レベルの突き上げ率は、ガンマ特性で変換したガンマ基準電圧に基づいて制御する。
【０１１０】
図１６に、この種の制御手法を採用する有機ＥＬディスプレイ装置６１の機能構成を示す。なお、図１６は、図１に示す形態例との対応部分に同一符号を付して表している。勿論、他の形態例で説明したシステム構成にも適用できる。
【０１１１】
有機ＥＬディスプレイ装置６１は、有機ＥＬパネルモジュール７１及びピーク輝度レベル制御部８１で構成される。
なお、ピーク輝度レベル制御部８１を構成する機能ブロックのうちピーク輝度制御部８３以外の構成は形態例１と同じである。
【０１１２】
ピーク輝度制御部８３は、平均階調値に応じたピーク輝度レベルの増減を、データ線ドライバ３３のガンマ基準電圧を制御することにより実行する処理デバイスである。ただし、ガンマ基準電圧を線形に制御しても発光輝度は線形に変化しない。
【０１１３】
従って、ピーク輝度制御部８３は、有機ＥＬパネル１１のガンマ特性を考慮して設定したガンマ基準電圧制御信号Ｓγをピーク輝度レベルの制御用に出力する。もっとも、ガンマ基準電圧制御信号Ｓγでは、制御目標であるピーク輝度レベル又は変化量だけを表し、実際の基準電圧はドライバＩＣブロック７３側で発生する構成を採用しても良い。
【０１１４】
一方、有機ＥＬパネルモジュール７１は、有機ＥＬパネル１１とドライバＩＣブロック７３で構成される。
ドライバＩＣブロック７３は、ガンマ基準電圧制御信号Ｓγに基づいてデータ線ドライバ３３の出力段に位置するディジタル／アナログ変換回路に印加するガンマ基準電圧を発生するガンマ基準電圧発生器を搭載する点を除き、図４に示す回路構成と同じ構成を採用する。
【０１１５】
図１７に、ドライバＩＣブロック７３の内部構成例を示す。また、図１８に、ガンマ基準電圧発生器７５とデータ線ドライバ３３との接続関係を示す。なお、ガンマ基準電圧発生器７５は、ドライバＩＣブロック７３の外部に配置することも可能である。
【０１１６】
図１８に示すように、データ線ドライバ３３は、画素の配列順にシリアル入力される表示データを対応するデータ線に分配するシフトレジスタ９１と、各データ線を出力先とするデータ線用のＤ／Ａ変換回路９３とで構成される。
【０１１７】
データ線用のＤ／Ａ変換回路９３には、ガンマ基準電圧発生器７５内のガンマ基準電圧発生用のＤ／Ａ変換回路９５で発生されたガンマ基準電圧が供給される。このガンマ基準電圧は、データ線用のＤ／Ａ変換回路９３から出力されるアナログ電圧のダイナミックレンジを規定する電圧である。
【０１１８】
勿論、ダイナミックレンジが広いほど、有機ＥＬ素子Ｄに流れる駆動電流の最大値が大きくなり、その分、高い輝度で有機ＥＬ素子Ｄを光らせることができる。
このような制御手法を採用しても、形態例と同じ効果を得ることが可能である。
【０１１９】
（Ｂ−６）画素構造
前述の形態例においては、図２に示す画素構造を例示した。
しかし、画素構造はこれに限らない。例えば図１９に示すように、電流ドライブ素子Ｔ２をＮチャネル型のＦＥＴとし、キャパシタＣを電流ドライブ素子Ｔ２のゲート電極とドレイン電極の間に接続しても良い。
【０１２０】
（Ｂ−７）製品例
（ａ）ドライブＩＣ
前述した有機ＥＬディスプレイ装置（有機ＥＬパネルモジュール及び駆動条件制御部）は、いずれも１つのパネル上に形成することもできるが、処理回路部分と画素マトリクスとを別々に製造し、流通することもできる。
【０１２１】
例えば、ドライバＩＣブロックや駆動条件制御部はそれぞれ独立したドライブＩＣ（integrated
circuit）として製造し、有機ＥＬパネルとは独立に流通することもできる。勿論、ドライバＩＣブロックと駆動条件制御部とで１つのドライブＩＣを構成することもできる。
【０１２２】
（ｂ）表示モジュール
前述した形態例における有機ＥＬディスプレイ装置は、図２０に示す外観構成を有する表示モジュール１０１の形態で流通することもできる。
表示モジュール１０１は、支持基板１０５の表面に対向部１０３を貼り合わせた構造を有している。対向部１０３は、ガラスその他の透明部材を基材とし、その表面にはカラーフィルタ、保護膜、遮光膜等が配置される。
【０１２３】
なお、表示モジュール１０１には、外部から支持基板１０５に信号等を入出力するためのＦＰＣ（フレキシブルプリントサーキット）１０７等が設けられていても良い。
【０１２４】
（ｃ）電子機器
前述した形態例における有機ＥＬディスプレイ装置は、電子機器に実装された商品形態でも流通される。
図２１に、電子機器１１１の概念構成例を示す。電子機器１１１は、前述した有機ＥＬディスプレイ装置１１３及びシステム制御部１１５で構成される。システム制御部１１５で実行される処理内容は、電子機器１１１の商品形態により異なる。
【０１２５】
なお、電子機器１１１は、機器内で生成される又は外部から入力される画像や映像を表示する機能を搭載していれば、特定の分野の機器には限定されない。
この種の電子機器１１１には、例えばテレビジョン受像機が想定される。図２２に、テレビジョン受像機１２１の外観例を示す。
【０１２６】
テレビジョン受像機１２１の筐体正面には、フロントパネル１２３及びフィルターガラス１２５等で構成される表示画面１２７が配置される。表示画面１２７の部分が、形態例で説明した有機ＥＬディスプレイ装置に対応する。
【０１２７】
また、この種の電子機器１１１には、例えばデジタルカメラが想定される。図２３に、デジタルカメラ１３１の外観例を示す。図２３（Ａ）が正面側（被写体側）の外観例であり、図２３（Ｂ）が背面側（撮影者側）の外観例である。
【０１２８】
デジタルカメラ１３１は、撮像レンズ（図２３は保護カバー１３３が閉じた状態であるので、保護カバー１３３の裏面側に配置される。）、フラッシュ用発光部１３５、表示画面１３７、コントロールスイッチ１３９及びシャッターボタン１４１で構成される。このうち、表示画面１３７の部分が、形態例で説明した有機ＥＬディスプレイ装置に対応する。
【０１２９】
また、この種の電子機器１１１には、例えばビデオカメラが想定される。図２４に、ビデオカメラ１５１の外観例を示す。
ビデオカメラ１５１は、本体１５３の前方に被写体を撮像する撮像レンズ１５５、撮影のスタート／ストップスイッチ１５７及び表示画面１５９で構成される。このうち、表示画面１５９の部分が、形態例で説明した有機ＥＬディスプレイ装置に対応する。
【０１３０】
また、この種の電子機器１１１には、例えば携帯端末装置が想定される。図２５に、携帯端末装置としての携帯電話機１６１の外観例を示す。図２５に示す携帯電話機１６１は折りたたみ式であり、図２５（Ａ）が筐体を開いた状態の外観例であり、図２５（Ｂ）が筐体を折りたたんだ状態の外観例である。
【０１３１】
携帯電話機１６１は、上側筐体１６３、下側筐体１６５、連結部（この例ではヒンジ部）１６７、表示画面１６９、補助表示画面１７１、ピクチャーライト１７３及び撮像レンズ１７５で構成される。このうち、表示画面１６９及び補助表示画面１７１の部分が、形態例で説明した有機ＥＬディスプレイ装置に対応する。
【０１３２】
また、この種の電子機器１１１には、例えばコンピュータが想定される。図２６に、ノート型コンピュータ１８１の外観例を示す。
ノート型コンピュータ１８１は、下型筐体１８３、上側筐体１８５、キーボード１８７及び表示画面１８９で構成される。このうち、表示画面１８９の部分が、形態例で説明した有機ＥＬディスプレイ装置に対応する。
【０１３３】
これらの他、電子機器１１１には、オーディオ再生装置、ゲーム機、電子ブック、電子辞書等が想定される。
【０１３４】
（Ｂ−８）他の表示デバイス例
形態例の説明においては、駆動条件制御部を有機ＥＬディスプレイ装置に搭載する場合について説明した。
しかし、駆動条件制御部は、その他の自発光表示装置にも適用することができる。例えば無機ＥＬディスプレイ装置、ＬＥＤを配列する表示装置、ＦＥＤディスプレイ装置やＰＤＰディスプレイ装置等にも適用できる。
【０１３５】
（Ｂ−９）制御デバイス構成
前述の説明では、駆動条件制御部をハードウェア的に実現する場合について説明した。
しかし、駆動条件制御部の一部又は全部は、ソフトウェア処理として実現することができる。
【０１３６】
（Ｂ−１０）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【０１３７】
【図１】有機ＥＬディスプレイ装置の機能構成例を示す図である。
【図２】画素構造を説明する図である。
【図３】デューティ制御信号の波形を説明する図である。
【図４】有機ＥＬパネルモジュールの内部構成例を示す図である。
【図５】ピーク輝度レベルの突き上げ処理を実行しない場合における平均階調値と消費電力との関係を示す図である。
【図６】ピーク輝度レベルの突き上げ処理を実行する場合における平均階調値と消費電力との関係を示す図である。
【図７】ピーク輝度レベルの突き上げ駆動の実行による消費電力の増加を説明する図である。
【図８】ピーク輝度レベルの突き上げ処理で増加した消費電力分を削減するガンマ特性の設定例を説明する図である。
【図９】ガンマ変換処理で使用するガンマ特性を説明する図である。
【図１０】ガンマ変換値が設定されるまでの流れを示す図である。
【図１１】ガンマ変換値を２値的に切り替える場合の変更点の設定例を説明する図である。
【図１２】有機ＥＬディスプレイ装置の他の機能構成例を示す図である。
【図１３】ガンマ特性変換部が実行する制御フロー例を示す図である。
【図１４】ガンマ特性変換部が実行する制御フロー例を示す図である。
【図１５】ガンマ特性変換部が実行する制御フロー例を示す図である。
【図１６】有機ＥＬディスプレイ装置の他の機能構成例を示す図である。
【図１７】有機ＥＬパネルモジュールの内部構成例を示す図である。
【図１８】ガンマ基準電圧発生器とデータ線ドライバとの接続関係を説明する図である。
【図１９】他の画素構造を示す図である。
【図２０】表示モジュールの構成例を示す図である。
【図２１】電子機器の機能構成例を示す図である。
【図２２】電子機器の商品例を示す図である。
【図２３】電子機器の商品例を示す図である。
【図２４】電子機器の商品例を示す図である。
【図２５】電子機器の商品例を示す図である。
【図２６】電子機器の商品例を示す図である。
【符号の説明】
【０１３８】
１          有機ＥＬディスプレイ装置
５          ピーク輝度レベル制御部
２１        ピーク輝度突き上げ設定部
２３        平均階調値算出部
２５        ピーク輝度制御部
２７        ガンマ特性変換部
４１        有機ＥＬディスプレイ装置
５１        ピーク輝度レベル制御部
５３        ガンマ特性変換部
６１        有機ＥＬディスプレイ装置
８１        ピーク輝度レベル制御部
８３        ピーク輝度制御部
【図１】
2008158401.tif 000003
【図２】
2008158401.tif 000004
【図３】
2008158401.tif 000005
【図４】
2008158401.tif 000006
【図５】
2008158401.tif 000007
【図６】
2008158401.tif 000008
【図７】
2008158401.tif 000009
【図８】
2008158401.tif 000010
【図９】
2008158401.tif 000011
【図１０】
2008158401.tif 000012
【図１１】
2008158401.tif 000013
【図１２】
2008158401.tif 000014
【図１３】
2008158401.tif 000015
【図１４】
2008158401.tif 000016
【図１５】
2008158401.tif 000017
【図１６】
2008158401.tif 000018
【図１７】
2008158401.tif 000019
【図１８】
2008158401.tif 000020
【図１９】
2008158401.tif 000021
【図２０】
2008158401.tif 000022
【図２１】
2008158401.tif 000023
【図２２】
2008158401.tif 000024
【図２３】
2008158401.tif 000025
【図２４】
2008158401.tif 000026
【図２５】
2008158401.tif 000027
【図２６】
2008158401.tif 000028